【手続補正書】
【提出日】平成18年7月18日(2006.7.18)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
記録媒体に付された、情報の読み取りが可能な不揮発性メモリを有するＲＦＩＤタグから情報を読み取る読み取り手段と、
読み出された情報に基づき、画像形成条件を設定する設定手段と
前記設定手段により設定された画像形成条件に基づき、画像形成手段による画像形成を制御する制御手段と
を有することを特徴とする画像形成装置。
【請求項２】
前記設定手段は、前記画像処理条件として、前記記録媒体の色に応じて画像データのガンマ補正の係数を設定することを特徴とする請求項第１項の画像形成装置。
【請求項３】
前記読み出し手段により読み出された情報は、記録媒体のサイズ情報、記録媒体の厚み情報、記録媒体の紙種情報、記録媒体の色情報のうちの少なくとも１つの情報を含んでいることを特徴とする請求項第１項の画像形成装置。
【請求項４】
前記画像形成手段は、
感光体上に静電潜像を形成するための帯電手段と、
前記感光体上の潜像を現像するための現像手段と、
現像された画像を記録媒体に転写するための転写手段と、
転写された画像を定着するための定着手段と、
記録媒体を搬送するための搬送手段とを有する電子写真方式の画像形成手段であって、
前記設定手段は、記録媒体の種類、厚み、サイズの少なくともいずれかに応じて前記前記帯電手段における電圧値、前記転写手段における電圧値、前記定着手段における温度、前記搬送手段における搬送速度の少なくともいずれかを、画像形成条件として設定することを特徴とする請求項第１項の画像形成装置。
【請求項５】
記録媒体に付された、情報の読み取りが可能な不揮発性メモリを有するＲＦＩＤタグから前記ＲＦＩＤ自身の情報を読み取る読み取り手段と、
前記読み出された情報を基に、記録媒体の数量を計数する計数手段と、
前記計数手段の計数結果に基づき、記録媒体の数量に関する情報を出力する出力手段と
を有することを特徴とする画像形成装置。
【請求項６】
前記計数手段は、前記読み取り手段がもつ最大読み取り可能数以上は計数しないことを特徴とする請求項第５項の画像形成装置。
【請求項７】
記録媒体に付された、情報の読み取りが可能な不揮発性メモリを有するＲＦＩＤタグから情報を読み取る読み取り手段と、
前記読み取り手段からの情報を基に、記録媒体が推奨記録媒体であるか、又は、記録媒体が経時劣化していないかを判断する判断手段と、
前記読み取り手段からの情報を基に、記録媒体が推奨記録媒体であるか、又は、記録媒体が経時劣化していないかを判断する判断手段と、
前記判断手段に基づき、前記記録媒体が推奨記録媒体でない場合、あるいは経時劣化している場合に、その旨を表示する表示手段と
を有することを特徴とする画像形成装置。
【請求項８】
記録媒体に付された、情報の読み取りが可能な不揮発性メモリを有するＲＦＩＤタグから前記ＲＦＩＤ自身の情報を読み取る読み取り手段と、
前記読み出された情報を記憶する記憶手段と、
第１の記憶手段により記憶された情報から記録媒体の数量を計数する計数手段と、
画像形成手段の画像形成モードを設定する設定手段と、
前記設定手段で設定された画像形成モードから画像形成に必要な記録媒体数量を計数する第２の計数手段と、
前記第１の計数手段で計数した値と前記第２の計数手段で計数した値とを比較し、比較した結果を表示する表示手段と
を有することを特徴とする画像形成装置。
【請求項９】
前記第１の計数手段で計数した値と第２の計数手段で計数した値とを比較し、第１の計数手段で計数した値が、前記第２の計数手段で計数した値に対して小さい場合に警告表示を前記表示手段に表示する制御手段を更に有することを特徴とする請求項第８項の画像形成装置。
【請求項１０】
画像形成終了後の記録媒体を所定の枚数積載し、後処理を行う記録媒体後処理手段と、
前記第１の記憶手段で記憶された情報を基に、前記第１の記憶手段で記憶された記録媒体の厚みと、前記設定手段で設定された画像形成モードで設定された記録媒体の後処理工程の積載枚数から、積載した場合の記録媒体の積載厚みを計数する手段と、前記計数結果と前記後処理手段の処理可能な最大積載厚みとを比較する比較手段と、比較の結果、前記計数手段により計数された積載厚みが前記束ね処理可能な積載厚みを超えている場合に、その旨の警告を出力する手段と
をさらに有することを特徴とする請求項第８項の画像形成装置。
【請求項１１】
記録媒体に付された、情報の読み取りが可能な不揮発性メモリを有するＲＦＩＤタグから情報を読み取る読み取り手段と、
タブ紙に画像形成をする場合、当該タブ紙のタブ順位情報を含む情報を前記ＲＦＩＤタグから読み出し、画像形成動作中に給送するタブ紙の順序を前記読み取ったタブ順位に従うように調整する調整手段を有することを特徴とする画像形成装置。
【請求項１２】
前記調整手段は、画像形成動作中にジャムが生じた場合に、ジャムの発生したタブ紙のタブ位置情報を記憶する手段と、ジャムリカバリー時に、前記記憶手段に記憶されたタブ位置情報に基づき、リカバリーに不要な記録媒体は画像形成処理を行わずに通常の画像処理ルートとは異なるルートで処理を行う制御手段とを有することを特徴とする請求項１１に記載の画像形成装置。
【手続補正３】
【補正対象書類名】明細書
【補正対象項目名】０００１
【補正方法】変更
【補正の内容】
【０００１】
【発明の属する技術分野】
本発明は、画像形成装置に関し、特に、印刷用紙などの記録媒体の特性に対して最適な印刷条件を設定して印刷を行うことのできる画像形成装置に関する。
【手続補正４】
【補正対象書類名】明細書
【補正対象項目名】０００６
【補正方法】変更
【補正の内容】
【０００６】
本発明は上記課題に鑑みなされたもので、記録媒体に付したＲＦＩＤタグから当該記録媒体についての媒体情報を読み出し、その媒体情報に基づき、画像形成に不適であると判定されれば警告を出力して所望の（すなわち指定された）記録媒体以外の記録媒体で誤って画像形成してしまうことが防止できる画像形成装置を提供することを目的とする。
【手続補正５】
【補正対象書類名】明細書
【補正対象項目名】０００７
【補正方法】変更
【補正の内容】
【０００７】
また、読み出された媒体情報に基づいて、当該記録媒体が指定された記録媒体であると判定されれば、当該記録媒体について最適な画像形成条件を設定することにより、記録媒体に最適な条件で高品質の画像を形成することができる画像形成装置を提供することを目的とする。
【手続補正６】
【補正対象書類名】明細書
【補正対象項目名】０００８
【補正方法】変更
【補正の内容】
【０００８】
記録媒体の数量に関する情報を表示することや、記録媒体の残量の不足を出力できるため、画像形成の途中で記録媒体がなくなり中断されることが防止できる画像形成装置を提供することを目的とする。
【手続補正７】
【補正対象書類名】明細書
【補正対象項目名】０００９
【補正方法】変更
【補正の内容】
【０００９】
また、記録媒体の積載厚みが、ステープル等の束ね処理可能な厚みを超えている場合に、その旨を警告出力することで、後処理工程についての条件にも適合した画像形成が可能となる画像形成装置を提供することを目的とする。
【手続補正８】
【補正対象書類名】明細書
【補正対象項目名】００１０
【補正方法】変更
【補正の内容】
【００１０】
さらには、記録媒体がタブ紙の場合には当該タブ紙のタブ位置情報を有し、たとえば画像形成動作中にジャム等に起因してタブ紙の順序がずれた場合であっても、その順序を調整して適正なタブ位置のタブ紙を挿入することが可能となった画像形成装置を提供することを目的とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
あるいは、本発明は、記録媒体に付された、情報の読み取りが可能な不揮発性メモリを有するＲＦＩＤタグから前記ＲＦＩＤ自身の情報を読み取る読み取り手段と、
前記読み出された情報を基に、記録媒体の数量を計数する計数手段と、
前記計数手段の計数結果に基づき、記録媒体の数量に関する情報を出力する出力手段と。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】変更
【補正の内容】
【００２２】
あるいは本発明は、記録媒体に付された、情報の読み取りが可能な不揮発性メモリを有するＲＦＩＤタグから情報を読み取る読み取り手段と、
前記読み取り手段からの情報を基に、記録媒体が推奨記録媒体であるか、又は、記録媒体が経時劣化していないかを判断する判断手段と、
前記読み取り手段からの情報を基に、記録媒体が推奨記録媒体であるか、又は、記録媒体が経時劣化していないかを判断する判断手段と、
前記判断手段に基づき、前記記録媒体が推奨記録媒体でない場合、あるいは経時劣化している場合に、その旨を表示する表示手段とを有する。
【手続補正２０】
【補正対象書類名】明細書
【補正対象項目名】００２３
【補正方法】変更
【補正の内容】
【００２３】
あるいは本発明は、記録媒体に付された、情報の読み取りが可能な不揮発性メモリを有するＲＦＩＤタグから前記ＲＦＩＤ自身の情報を読み取る読み取り手段と、
前記読み出された情報を記憶する記憶手段と、
第１の記憶手段により記憶された情報から記録媒体の数量を計数する計数手段と、
画像形成手段の画像形成モードを設定する設定手段と、
前記設定手段で設定された画像形成モードから画像形成に必要な記録媒体数量を計数する第２の計数手段と、
前記第１の計数手段で計数した値と前記第２の計数手段で計数した値とを比較し、比較した結果を表示する表示手段とを有する。
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】変更
【補正の内容】
【００２７】
あるいは本発明は、記録媒体に付された、情報の読み取りが可能な不揮発性メモリを有するＲＦＩＤタグから情報を読み取る読み取り手段と、
タブ紙に画像形成をする場合、当該タブ紙のタブ順位情報を含む情報を前記ＲＦＩＤタグから読み出し、画像形成動作中に給送するタブ紙の順序を前記読み取ったタブ順位に従うように調整する調整手段を有する。
【手続補正２５】
【補正対象書類名】明細書
【補正対象項目名】００２８
【補正方法】削除
【補正の内容】
【手続補正２６】
【補正対象書類名】明細書
【補正対象項目名】００８６
【補正方法】変更
【補正の内容】
【００８６】
また、０５ｈ番地の紙種情報と０７ｈ番地から読み出された記録媒体の厚み情報からは、記録媒体の種類や、厚みに最適な転写条件、具体的には２次転写装置に供給する電圧値および電流値を高圧電源００３から供給できるようにプリンタ制御部００１から設定する。たとえば、媒体の厚みが厚いものに対しては転写条件として、厚みの薄い媒体よりも転写の電圧値を高く（又は電流値が十分に確保できるように）高圧電源００３を設定することにより、転写条件を適正化し良好な画像を得ることができる。記録媒体の種類や、厚みに最適な定着装置２３４の定着温度設定をおこなう制御をプリンタ制御部００１で行う。たとえば、媒体がＯＨＰシートなど、定着部の温度が一定以上に上げると媒体自体が変質するような媒体に印刷している場合には、定着部の温度を下げるように制御される。また、高温にさらされることでＲＦＩＤタグ自体が破損するおそれもあるために、ＲＦＩＤタグが付された記録媒体については、付されていない媒体に比して低い温度で定着するように、温度制御することなども考えられる。この温度は、ＲＦＩＤタグ自体の仕様により決定される。